(57)【要約】      （修正有）【課題】  第一と第二液晶表示装置を接続させるための配線数の低減を図った液晶表示装置を提供する。【解決手段】  第１表示装置は、少なくとも一部がｎ本毎にｍ個のグループにグループ分けされた複数の第１映像信号線を有し、第２表示装置は、ｎ本毎にｍ個のグループにグループ分けされた複数の第２映像信号線を有し、配線基板は、第２映像信号線に印加される映像信号を伝えるｍ本の配線を有し、第１及び第２表示装置は同じグループ内に属するｎ本の第１映像信号線に印加された第２映像信号線に印加されるべきｎ個の映像信号のそれぞれを、配線基板に設けられたそのグループに対応する１本の配線を介して配線を時分割で共有しながら、そのグループに対応するｎ本の第２映像信号線のうちその映像信号が印加されるべき第２映像信号線に時分割で分配して伝える時分割スイッチ回路を有する。【選択図】    図１
2005283949.tif 000002
【特許請求の範囲】
【請求項１】
第１表示装置と、第２表示装置と、前記第１表示装置と前記第２表示装置との間を接続する配線基板とを備えた表示装置であって、
それぞれ、ｎを２以上の整数、ｍを２以上の整数としたとき、
前記第１表示装置は、少なくとも一部がｎ本毎にｍ個のグループにグループ分けされた複数の第１映像信号線を有し、
前記第２表示装置は、ｎ本毎にｍ個のグループにグループ分けされた複数の第２映像信号線を有し、
前記配線基板は、前記第２映像信号線に印加される映像信号を伝えるｍ本の配線を有し、
前記第１表示装置及び前記第２表示装置は、同じグループ内に属するｎ本の前記第１映像信号線に印加された前記第２映像信号線に印加されるべきｎ個の映像信号のそれぞれを、前記配線基板に設けられたそのグループに対応する１本の前記配線を介して、前記配線を時分割で共有しながら、そのグループに対応するｎ本の前記第２映像信号線のうちその映像信号が印加されるべき第２映像信号線に時分割で分配して伝える時分割スイッチ回路を有することを特徴とする表示装置。
【請求項２】
前記時分割スイッチ回路は、前記第１表示装置に設けられた第１時分割スイッチ回路と、前記第２表示装置に設けられた第２時分割スイッチ回路とを有し、
前記第１時分割スイッチ回路は、前記配線と前記第１映像信号線との間に設けられたｎ×ｍ個のスイッチ素子と、前記ｎ×ｍ個のスイッチ素子のオン・オフを制御するｎ本のゲート配線とを有し、
前記第２時分割スイッチ回路は、前記配線と前記第２映像信号線との間に設けられたｎ×ｍ個のスイッチ素子と、前記ｎ×ｍ個のスイッチ素子のオン・オフを制御するｎ本のゲート配線とを有することを特徴とする請求項１に記載の表示装置。
【請求項３】
前記スイッチ素子は、隣のグループの対応するスイッチ素子と、共通のゲート配線によって接続されて制御されることを特徴とする請求項２に記載の表示装置。
【請求項４】
前記第１時分割スイッチ回路の前記ｎ本のゲート配線と前記第２時分割スイッチ回路の前記ｎ本のゲート配線は、対応するもの同士が前記配線基板に設けられたｎ本の配線を介してそれぞれ接続されていることを特徴とする請求項３に記載の表示装置。
【請求項５】
前記第１表示装置は、前記第１映像信号線に交差し走査信号が供給される第１走査信号線と、前記第１走査信号線と前記第１映像信号線のそれぞれの交点に対応して形成され前記走査信号によって駆動される薄膜トランジスタと、前記薄膜トランジスタを介して前記第１映像信号線からの映像信号が供給される電極とを有し、
前記第２表示装置は、前記第２映像信号線に交差し走査信号が供給される第２走査信号線と、前記第２走査信号線と前記第２映像信号線のそれぞれの交点に対応して形成され前記走査信号によって駆動される薄膜トランジスタと、前記薄膜トランジスタを介して前記第２映像信号線からの映像信号が供給される電極とを有することを特徴とする請求項１から４の何れかに記載の表示装置。
【請求項６】
第１表示装置と、第２表示装置と、前記第１表示装置と前記第２表示装置との間を接続する配線基板とを備えた表示装置であって、
前記第１表示装置および前記第２表示装置はそれぞれマトリクス状に配置された複数の画素を有し、
前記第１表示装置の画素に映像信号を供給する第１映像信号線のうちの一部を間引いて前記第２表示装置の画素に映像信号を供給する第２映像信号線に接続したことにより、前記第１表示装置の映像を前記第２表示装置に縮小表示することを特徴とする表示装置。
【請求項７】
前記第１表示装置の画素に映像信号を供給する第１映像信号線のうち、隣り合う２本のうち１本のみを前記第２表示装置の画素に映像信号を供給する第２映像信号線に接続したことを特徴とする請求項６に記載の表示装置。
【請求項８】
前記第１表示装置の画素に映像信号を供給する第１映像信号線のうち、隣り合う３本を１グループとしてグループ分けし、隣り合う２つのグループのうち１つのグループのみを前記第２表示装置の画素に映像信号を供給する第２映像信号線に接続したことを特徴とする請求項６に記載の表示装置。
【請求項９】
前記第１表示装置は、前記第１映像信号線に交差し走査信号が供給される第１走査信号線と、前記第１走査信号線と前記第１映像信号線のそれぞれの交点に対応して形成され前記走査信号によって駆動される薄膜トランジスタと、前記薄膜トランジスタを介して前記第１映像信号線からの映像信号が供給される電極とを有し、
前記第２表示装置は、前記第２映像信号線に交差し走査信号が供給される第２走査信号線と、前記第２走査信号線と前記第２映像信号線のそれぞれの交点に対応して形成され前記走査信号によって駆動される薄膜トランジスタと、前記薄膜トランジスタを介して前記第２映像信号線からの映像信号が供給される電極とを有することを特徴とする請求項６から８の何れかに記載の表示装置。
【請求項１０】
それぞれ、ｎを２以上の整数、ｍを２以上の整数としたとき、
前記第１映像信号線は、少なくとも一部がｎ本毎にｍ個のグループにグループ分けされ、
前記第２映像信号線は、ｎ本毎にｍ個のグループにグループ分けされ、
前記配線基板は、前記第２映像信号線に印加される映像信号を伝えるｍ本の配線を有し、
前記第１表示装置及び前記第２表示装置は、同じグループ内に属するｎ本の前記第１映像信号線に印加された前記第２映像信号線に印加されるべきｎ個の映像信号のそれぞれを、前記配線基板に設けられたそのグループに対応する１本の前記配線を介して、前記配線を時分割で共有しながら、そのグループに対応するｎ本の前記第２映像信号線のうちその映像信号が印加されるべき第２映像信号線に時分割で分配して伝える時分割スイッチ回路を有することを特徴とする請求項６から９の何れかに記載の表示装置。
【請求項１１】
第１表示装置と、第２表示装置と、前記第１表示装置と前記第２表示装置との間を接続する配線基板とを備えた表示装置であって、
前記第１表示装置は、マトリクス状に配置された複数の画素と、前記画素に映像信号を供給する第１映像信号線を有し、
前記第２表示装置は、マトリクス状に配置された複数の画素と、前記画素に映像信号を供給する第２映像信号線を有し、
前記配線基板は、前記第１映像信号線を介して伝えられた前記第２映像信号線に印加される映像信号を伝える配線を有し、
前記第２表示装置は、前記配線基板の配線を介して伝えられた映像信号を、左右反転させて前記第２映像信号線に印加するか、左右反転させずに前記第２映像信号線に印加するかを選択可能な左右反転回路を有することを特徴とする表示装置。
【発明の詳細な説明】
【技術分野】
【０００１】
本発明は表示装置に係り、たとえば携帯電話器等に組み込まれる液晶表示装置に関する。
【背景技術】
【０００２】
携帯電話器等に組み込まれる液晶表示装置はいわゆるメインパネルとサブパネルと称される２個の液晶表示装置を具備し、それらの液晶表示装置に表示する画像を用途に応じて使い分けている。
この場合、それらの液晶表示装置を駆動させる信号は、メインパネルと称される液晶表示装置に供給し、サブパネルと称される液晶表示装置には該メインパネルと称される液晶表示装置から、それらを接続する接続用フレキシブル基板を介して供給されるようになっている（特許文献１参照）。
尚、メインパネルとサブパネルという２画面を有する液晶表示装置ではないが、映像信号駆動回路のドライバＩＣチップの１つの端子から出力される映像信号を、時分割で３本の映像信号線に分配して駆動する技術がある（特許文献２参照）。但し、特許文献２では２画面構成の液晶表示装置については考慮されていない。
【０００３】
【特許文献１】特開２００３−３２３１６４号公報
【特許文献２】特開平１１−３２７５１８号公報
【発明の開示】
【発明が解決しようとする課題】
【０００４】
しかし、メインパネルとサブパネルとを有する液晶表示装置において、そのメインパネルに限らずサブパネルにおいても画素数が増大する傾向にある。携帯電話器の画像表示の高画質化指向および該携帯電話器にカメラ等を搭載することが理由である。
サブパネルにおける画素数が増大する場合、メインパネル側からサブパネル側へ信号を渡すための双方のボンデングパッド数の増大、これらボンデングパッドに接続させる接続用フレキシブル基板の配線数の増大をもたらし、スペースの制約から、具現化するのが困難となることが指摘されるに至る。
本発明は、このような事情に基づいてなされたものであり、その目的は、各液晶表示装置を接続させるためのボンデングパッド数の低減、接続用フレキシブル基板の配線数の低減を図った液晶表示装置を提供するにある。
【課題を解決するための手段】
【０００５】
本願において開示される発明のうち、代表的なものの概要を簡単に説明すれば、以下のとおりである。
【０００６】
（１）
本発明による表示装置は、たとえば、第１表示装置と、第２表示装置と、前記第１表示装置と前記第２表示装置との間を接続する配線基板とを備えた表示装置であって、
それぞれ、ｎを２以上の整数、ｍを２以上の整数としたとき、
前記第１表示装置は、少なくとも一部がｎ本毎にｍ個のグループにグループ分けされた複数の第１映像信号線を有し、
前記第２表示装置は、ｎ本毎にｍ個のグループにグループ分けされた複数の第２映像信号線を有し、
前記配線基板は、前記第２映像信号線に印加される映像信号を伝えるｍ本の配線を有し、
前記第１表示装置及び前記第２表示装置は、同じグループ内に属するｎ本の前記第１映像信号線に印加された前記第２映像信号線に印加されるべきｎ個の映像信号のそれぞれを、前記配線基板に設けられたそのグループに対応する１本の前記配線を介して、前記配線を時分割で共有しながら、そのグループに対応するｎ本の前記第２映像信号線のうちその映像信号が印加されるべき第２映像信号線に時分割で分配して伝える時分割スイッチ回路を有することを特徴とする。
【０００７】
（２）
本発明による表示装置は、たとえば、（１）の構成を前提に、前記時分割スイッチ回路は、前記第１表示装置に設けられた第１時分割スイッチ回路と、前記第２表示装置に設けられた第２時分割スイッチ回路とを有し、
前記第１時分割スイッチ回路は、前記配線と前記第１映像信号線との間に設けられたｎ×ｍ個のスイッチ素子と、前記ｎ×ｍ個のスイッチ素子のオン・オフを制御するｎ本のゲート配線とを有し、
前記第２時分割スイッチ回路は、前記配線と前記第２映像信号線との間に設けられたｎ×ｍ個のスイッチ素子と、前記ｎ×ｍ個のスイッチ素子のオン・オフを制御するｎ本のゲート配線とを有することを特徴とする。
【０００８】
（３）
本発明による表示装置は、たとえば、（２）の構成を前提に、前記スイッチ素子は、隣のグループの対応するスイッチ素子と、共通のゲート配線によって接続されて制御されることを特徴とする。
【０００９】
（４）
本発明による表示装置は、たとえば、（３）の構成を前提に、前記第１時分割スイッチ回路の前記ｎ本のゲート配線と前記第２時分割スイッチ回路の前記ｎ本のゲート配線は、対応するもの同士が前記配線基板に設けられたｎ本の配線を介してそれぞれ接続されていることを特徴とする。
【００１０】
（５）
本発明による表示装置は、たとえば、（１）から（４）の何れかの構成を前提に、前記第１表示装置は、前記第１映像信号線に交差し走査信号が供給される第１走査信号線と、前記第１走査信号線と前記第１映像信号線のそれぞれの交点に対応して形成され前記走査信号によって駆動される薄膜トランジスタと、前記薄膜トランジスタを介して前記第１映像信号線からの映像信号が供給される電極とを有し、
前記第２表示装置は、前記第２映像信号線に交差し走査信号が供給される第２走査信号線と、前記第２走査信号線と前記第２映像信号線のそれぞれの交点に対応して形成され前記走査信号によって駆動される薄膜トランジスタと、前記薄膜トランジスタを介して前記第２映像信号線からの映像信号が供給される電極とを有することを特徴とする。
【００１１】
（６）
本発明による表示装置は、たとえば、第１表示装置と、第２表示装置と、前記第１表示装置と前記第２表示装置との間を接続する配線基板とを備えた表示装置であって、
前記第１表示装置および前記第２表示装置はそれぞれマトリクス状に配置された複数の画素を有し、
前記第１表示装置の画素に映像信号を供給する第１映像信号線のうちの一部を間引いて前記第２表示装置の画素に映像信号を供給する第２映像信号線に接続したことにより、前記第１表示装置の映像を前記第２表示装置に縮小表示することを特徴とする。
【００１２】
（７）
本発明による表示装置は、たとえば、（６）の構成を前提に、前記第１表示装置の画素に映像信号を供給する第１映像信号線のうち、隣り合う２本のうち１本のみを前記第２表示装置の画素に映像信号を供給する第２映像信号線に接続したことを特徴とする。
【００１３】
（８）
本発明による表示装置は、たとえば、（６）の構成を前提に、前記第１表示装置の画素に映像信号を供給する第１映像信号線のうち、隣り合う３本を１グループとしてグループ分けし、隣り合う２つのグループのうち１つのグループのみを前記第２表示装置の画素に映像信号を供給する第２映像信号線に接続したことを特徴とする。
【００１４】
（９）
本発明による表示装置は、たとえば、（６）から（８）の何れかの構成を前提に、前記第１表示装置は、前記第１映像信号線に交差し走査信号が供給される第１走査信号線と、前記第１走査信号線と前記第１映像信号線のそれぞれの交点に対応して形成され前記走査信号によって駆動される薄膜トランジスタと、前記薄膜トランジスタを介して前記第１映像信号線からの映像信号が供給される電極とを有し、
前記第２表示装置は、前記第２映像信号線に交差し走査信号が供給される第２走査信号線と、前記第２走査信号線と前記第２映像信号線のそれぞれの交点に対応して形成され前記走査信号によって駆動される薄膜トランジスタと、前記薄膜トランジスタを介して前記第２映像信号線からの映像信号が供給される電極とを有することを特徴とする。
【００１５】
（１０）
本発明による表示装置は、たとえば、（６）から（９）の何れかの構成を前提に、それぞれ、ｎを２以上の整数、ｍを２以上の整数としたとき、
前記第１映像信号線は、少なくとも一部がｎ本毎にｍ個のグループにグループ分けされ、
前記第２映像信号線は、ｎ本毎にｍ個のグループにグループ分けされ、
前記配線基板は、前記第２映像信号線に印加される映像信号を伝えるｍ本の配線を有し、
前記第１表示装置及び前記第２表示装置は、同じグループ内に属するｎ本の前記第１映像信号線に印加された前記第２映像信号線に印加されるべきｎ個の映像信号のそれぞれを、前記配線基板に設けられたそのグループに対応する１本の前記配線を介して、前記配線を時分割で共有しながら、そのグループに対応するｎ本の前記第２映像信号線のうちその映像信号が印加されるべき第２映像信号線に時分割で分配して伝える時分割スイッチ回路を有することを特徴とする。
【００１６】
（１１）
本発明による表示装置は、たとえば、第１表示装置と、第２表示装置と、前記第１表示装置と前記第２表示装置との間を接続する配線基板とを備えた表示装置であって、
前記第１表示装置は、マトリクス状に配置された複数の画素と、前記画素に映像信号を供給する第１映像信号線を有し、
前記第２表示装置は、マトリクス状に配置された複数の画素と、前記画素に映像信号を供給する第２映像信号線を有し、
前記配線基板は、前記第１映像信号線を介して伝えられた前記第２映像信号線に印加される映像信号を伝える配線を有し、
前記第２表示装置は、前記配線基板の配線を介して伝えられた映像信号を、左右反転させて前記第２映像信号線に印加するか、左右反転させずに前記第２映像信号線に印加するかを選択可能な左右反転回路を有することを特徴とする。
【００１７】
（１２）
本発明による表示装置は、たとえば、（１）から（１１）の何れかの構成を前提に、第１表示装置および第２表示装置は少なくともその一方において液晶表示装置であることを特徴とする。
【００１８】
（１３）
本発明による表示装置は、たとえば、（１）から（１２）の何れかの構成を前提に、第１表示装置および第２表示装置は少なくともその一方において有機ＥＬ表示装置であることを特徴とする。
なお、本発明は以上の構成に限定されず、本発明の技術思想を逸脱しない範囲で種々の変更が可能である。
【発明を実施するための最良の形態】
【００１９】
以下、本発明による表示装置の実施例を図面を用いて説明する。
【００２０】
図２は、本発明による表示装置の一実施例を示す平面図で、たとえば携帯電話機に組み込まれる液晶表示装置を示している。
この液晶表示装置は、比較的表示部の大きな液晶表示装置（メインパネル）ＰＮＬ１とそれよりも表示部の小さな液晶表示装置（サブパネル）ＰＮＬ２とが接続用フレキシブル基板（配線基板）ＦＰＣ２によって電気的および物理的に接続されて構成されている。
それぞれの各液晶表示装置ＰＮＬ１、ＰＮＬ２は、液晶を介して互いに対向配置される基板（少なくともその一方は透明基板）を外囲器とし、該液晶の広がり方向に多数の画素が形成されて構成されている。
【００２１】
これら各液晶表示装置ＰＮＬ１、ＰＮＬ２を駆動させる信号は液晶表示装置ＰＮＬ１に接続されたＩＦ（インターフェース）用フレキシブル基板ＦＰＣ１によって供給されるようになっている。液晶表示装置ＰＮＬ１の該ＩＦ用フレキシブル基板ＦＰＣ１の接続部の近傍には該ＩＦ用フレキシブル基板ＦＰＣ１からの信号によって駆動するゲートドライバＧＤ（走査信号駆動回路とも呼ばれる）およびドレインドライバＤＤ（映像信号駆動回路とも呼ばれる）が搭載され、これらゲートドライバＧＤおよびドレインドライバＤＤからの信号が液晶表示装置ＰＮＬ１に、また、接続用フレキシブル基板ＦＰＣ２を介して液晶表示装置ＰＮＬ２に供給されるようになっている。尚、本実施例においてはゲートドライバＧＤは電源回路も内蔵している。但し、本発明はこれらの構成に限られない。例えば、ゲートドライバＧＤをポリシリコン薄膜トランジスタを用いて基板上に一体的に形成することにより内蔵しても構わない。また、ゲートドライバＧＤの機能をドレインドライバＤＤに内蔵し、１チップの構成としても良い。その他、様々な構成が考えられる。
【００２２】
図１は、図２に示した液晶表示装置の回路を示す図で、前記接続用フレキシブル基板ＦＰＣ２の近傍における回路を示したものである。
まず、液晶表示装置ＰＮＬ１において、ゲートドライバＧＤからのたとえば３本の配線層ＷＬ１１、ＷＬ１２、ＷＬ１３が液晶表示部ＡＲ１の領域を回避して接続用フレキシブル基板ＦＰＣ１側に延在され、その後屈曲されて該接続用フレキシブル基板ＦＰＣ１の長辺と平行となるように配置されている。
【００２３】
なお、図示していないが、前記ゲートドライバＧＤからは、上記配線層ＷＬ１１、ＷＬ１２、ＷＬ１３の他に、液晶表示装置ＰＮＬ１の液晶表示部ＡＲ１にて図中ｘ方向に延在しｙ方向に並設される走査信号線（図示せず）に走査信号を走査させて供給するための配線層が延在され、また、前記接続用フレキシブル基板ＦＰＣ２内の配線層を介した後、液晶表示装置ＰＮＬ２の液晶表示部ＡＲ２にて図中ｘ方向に延在しｙ方向に並設される走査信号線（図示せず）に走査信号を走査させて供給するための配線層が延在されて形成されている。
【００２４】
前記３本の配線層ＷＬ１１、ＷＬ１２、ＷＬ１３は、液晶表示装置ＰＮＬ１および液晶表示装置ＰＮＬ２へそれぞれ走査信号が供給されると同様に、走査信号が供給されるようになっており、液晶表示装置ＰＮＬ２への走査信号供給の際に該走査信号供給とは独立に供給されている。これら配線層ＷＬ１１、ＷＬ１２、ＷＬ１３は液晶表示装置ＰＮＬ１側のスイッチ回路ＳＷ１を構成する一構成部材で、このスイッチ回路ＳＷ１と液晶表示装置ＰＮＬ２側の後述するスイッチ回路ＳＷ２とともに、液晶表示装置ＰＮＬ２の表示駆動の際に、液晶表示装置ＰＮＬ１を通して映像信号を伝える役割を果たす。
【００２５】
また、前記３本の配線層ＷＬ１１、ＷＬ１２、ＷＬ１３は、それぞれ接続用フレキシブル基板ＦＰＣ２の各配線ＷＲ１、ＷＲ２、ＷＲ３を通して液晶表示装置ＰＮＬ２の該接続用フレキシブル基板ＦＰＣ２の近傍において該接続用フレキシブル基板ＦＰＣ２の長辺に平行に配置された配線層ＷＬ２１、ＷＬ２２、ＷＬ２３に接続されている。これら配線層ＷＬ２１、ＷＬ２２、ＷＬ２３は液晶表示装置ＰＮＬ２側のスイッチ回路ＳＷ２の一構成部材となっている。
さらに、前記３本の配線層ＷＬ１１、ＷＬ１２、ＷＬ１３において、それからの信号によってオン駆動されるトランジスタＴＲ１１、ＴＲ１２、ＴＲ１３が設けられている。
【００２６】
液晶表示装置ＰＮＬ１の液晶表示部ＡＲ１に形成された各ドレイン信号線ＤＬ１（映像信号線とも呼ばれる）は配線層ＷＬ１１、ＷＬ１２、ＷＬ１３の本数と同じ３本ごとにグループ分けされており、たとえば図中左側から一本目のドレイン信号線ＤＬ１からの映像信号は、前記配線層ＷＬ１１によってオンされるトランジスタＴＲ１１を介して接続用フレキシブル基板ＦＰＣ２の各配線のうち１本の配線ＷＲＬに供給される。同様に、図中左側から二本目のドレイン信号線ＤＬ１からの映像信号は、前記配線層ＷＬ１２によってオンされるトランジスタＴＲ１２を介して配線ＷＲＬに供給される。同様に、図中左側から三本目のドレイン信号線ＤＬ１からの映像信号は、前記配線層ＷＬ１３によってオンされるトランジスタＴＲ１３を介して配線ＷＲＬに供給される。このように、ドレイン信号線ＤＬ１からの映像信号は、接続用フレキシブル基板ＦＰＣ２の各配線のうち一本の配線ＷＲＬを介して、液晶表示装置ＰＮＬ２側に供給されるようになっている。このとき、配線ＷＲＬは時分割で共有される。
【００２７】
ここで、図中左側から一本目のドレイン信号線ＤＬ１はカラー表示の三原色のうちの赤（Ｒ）色を担当する信号、二本目のドレイン信号線ＤＬ１は緑（Ｇ）色を担当する信号、三本目のドレイン信号線ＤＬ１は青（Ｂ）色を担当する信号が供給されるようになっており、四本目以降のドレイン信号線ＤＬは上述した構成が繰り返してなされるようになっている。
【００２８】
なお、ドレイン信号線ＤＬ１とは、液晶表示装置ＰＮＬ１の液晶表示部ＡＲ１において図中ｙ方向に延在しｘ方向に並設される信号線であり、前記ゲート信号線（図示せず）からの走査信号によってオンされる薄膜トランジスタを介してドレインドライバＤＤから各画素の画素電極に映像信号を供給するための信号線である。
【００２９】
前記３本の配線層ＷＬ１１、ＷＬ１２、ＷＬ１３は、スイッチ素子であるトランジスタＴＲ１１、ＴＲ１２、ＴＲ１３のオン・オフを制御するゲート配線である。そして、この３本の配線層ＷＬ１１、ＷＬ１２、ＷＬ１３に供給される制御信号が順次走査されて供給される。
【００３０】
液晶表示装置ＰＮＬ２側には、配線ＷＲＬとドレイン信号線ＤＬ２との間にトランジスタＴＲ２１、ＴＲ２２、ＴＲ２３が設けられている。そして、トランジスタＴＲ２１、ＴＲ２２、ＴＲ２３のオン・オフを制御するゲート配線である３本の配線層ＷＬ２１、ＷＬ２２、ＷＬ２３が形成されている。トランジスタＴＲ２１、ＴＲ２２、ＴＲ２３と、３本の配線層ＷＬ２１、ＷＬ２２、ＷＬ２３は、スイッチ回路ＳＷ２を構成している。
【００３１】
また、接続用フレキシブル基板ＦＰＣ２には、配線ＷＲ１、ＷＲ２、ＷＲ３が形成されている。配線層ＷＬ１１は配線ＷＲ１を介して配線層ＷＬ２１と接続されている。同様に、配線層ＷＬ１２は配線ＷＲ２を介して配線層ＷＬ２２と接続されている。同様に、配線層ＷＬ１３は配線ＷＲ３を介して配線層ＷＬ２３と接続されている。
【００３２】
たとえば、上述した配線の順序で制御信号を走査して供給する場合を考える。
始めに、配線層ＷＬ１１、ＷＬ２１に制御信号が供給されると、トランジスタＴＲ１１、ＴＲ２１のみがオンの状態となり、トランジスタＴＲ１２、ＴＲ１３、ＴＲ２２、ＴＲ２３はオフの状態となる。このとき、図中左側から１本目のドレイン信号線ＤＬ１からの映像信号が接続用フレキシブル基板ＦＰＣ２の１本目の配線ＷＲＬを介して液晶表示装置ＰＮＬ２側の図中左側から１本目のドレイン信号線ＤＬ２に伝えられる。
このとき、図中左側から４本目、７本目、・・・の各グループの対応するドレイン信号線ＤＬ１、ＤＬ２についても同様の動作が行われる。
【００３３】
次に、配線層ＷＬ１２、ＷＬ２２に制御信号が供給されると、トランジスタＴＲ１２、ＴＲ２２のみがオンの状態となり、トランジスタＴＲ１１、ＴＲ１３、ＴＲ２１、ＴＲ２３はオフの状態となる。このとき、図中左側から２本目のドレイン信号線ＤＬ１からの映像信号が接続用フレキシブル基板ＦＰＣ２の１本目の配線ＷＲＬを介して液晶表示装置ＰＮＬ２側の図中左側から２本目のドレイン信号線ＤＬ２に伝えられる。
このとき、図中左側から５本目、８本目、・・・の各グループの対応するドレイン信号線ＤＬ１、ＤＬ２についても同様の動作が行われる。
【００３４】
最後に、配線層ＷＬ１３、ＷＬ２３に制御信号が供給されると、トランジスタＴＲ１３、ＴＲ２３のみがオンの状態となり、トランジスタＴＲ１１、ＴＲ１２、ＴＲ２１、ＴＲ２２はオフの状態となる。このとき、図中左側から３本目のドレイン信号線ＤＬ１からの映像信号が接続用フレキシブル基板ＦＰＣ２の１本目の配線ＷＲＬを介して液晶表示装置ＰＮＬ２側の図中左側から３本目のドレイン信号線ＤＬ２に伝えられる。
このとき、図中左側から６本目、９本目、・・・の各グループの対応するドレイン信号線ＤＬ１、ＤＬ２についても同様の動作が行われる。
【００３５】
以上の一連の動作は、１水平期間内、すなわち、１表示ライン分の走査信号線に走査信号が印加される期間内に行われる。したがって、１本の配線ＷＲＬを時分割で共有し、本実施例の場合であれば１水平期間を３分割して、それぞれ別々のドレイン信号線ＤＬ２に印加されるべき映像信号をスイッチ回路ＳＷ２で分配してドレイン信号線ＤＬ２に伝えている。
【００３６】
液晶表示装置ＰＮＬ１への画像書き込みと液晶表示装置ＰＮＬ２への画像書き込みとは異なるタイミングで行なわれ、これにより、液晶表示装置ＰＮＬ１の表示画像と液晶表示装置ＰＮＬ２の表示画像はそれぞれ異なるものとすることができる。
【００３７】
このように構成された液晶表示装置において、前記スイッチ回路ＳＷ１、ＳＷ２は、液晶表示装置ＰＮＬ１に形成されるドレイン信号線ＤＬ１と液晶表示装置ＰＮＬ２に形成されるドレイン信号線ＤＬ２をそれぞれ同数本でグループ分けし、液晶表示装置ＰＮＬ１と液晶表示装置ＰＮＬ２との間で対応するグループにおいて、他の対応するグループと同様に、接続用フレキシブル基板ＦＰＣ２の一の配線ＷＲＬを通して、対応するドレイン信号線ＤＬ１とドレイン信号線ＤＬ２同士を時分割的に接続させる機能を有する。
【００３８】
これにより、液晶表示装置ＰＮＬ１、ＰＮＬ２を接続させるためのボンデングパッド数の低減、接続用フレキシブル基板ＦＰＣ２の配線数の低減を図ることができる。
ここで、グループ分けするドレイン信号線ＤＬの数は必ずしも３個づつにする必要はなく、図３（ｂ）に示すように２個づつであってもよく、また、図３（ｃ）に示すようにｎ個づつであってもよい。なお、図３（ａ）は図１に示した構成を示す図で、スイッチ回路を簡略化して記載してある。また、それに対応させて図３（ｂ）、図３（ｃ）を示した。
【００３９】
これまでに説明した構成をｎ本毎のグループ分けに拡張すると、次のようになる。
本発明による表示装置は、例えば、第１表示装置（ＰＮＬ１）と、第２表示装置（ＰＮＬ２）と、前記第１表示装置と前記第２表示装置との間を接続する配線基板（ＦＰＣ２）とを備えた表示装置であって、
それぞれ、ｎを２以上の整数、ｍを２以上の整数としたとき、
前記第１表示装置（ＰＮＬ１）は、少なくとも一部がｎ本毎にｍ個のグループにグループ分けされた複数の第１映像信号線（ＤＬ１）を有し、
前記第２表示装置（ＰＮＬ２）は、ｎ本毎にｍ個のグループにグループ分けされた複数の第２映像信号線（ＤＬ２）を有し、
前記配線基板は、前記第２映像信号線に印加される映像信号を伝えるｍ本の配線（ＷＲＬ）を有し、
前記第１表示装置及び前記第２表示装置は、同じグループ内に属するｎ本の前記第１映像信号線（ＤＬ１）に印加された前記第２映像信号線（ＤＬ２）に印加されるべきｎ個の映像信号のそれぞれを、前記配線基板（ＦＰＣ２）に設けられたそのグループに対応する１本の前記配線（ＷＲＬ）を介して、前記配線（ＷＲＬ）を時分割で共有しながら、そのグループに対応するｎ本の前記第２映像信号線のうちその映像信号が印加されるべき第２映像信号線（ＤＬ２）に時分割で分配して伝える時分割スイッチ回路（ＳＷ１、ＳＷ２）を有する。
【００４０】
また、本発明では、例えば、前記時分割スイッチ回路は、前記第１表示装置に設けられた第１時分割スイッチ回路（ＳＷ１）と、前記第２表示装置に設けられた第２時分割スイッチ回路（ＳＷ２）とを有し、
前記第１時分割スイッチ回路（ＳＷ１）は、前記配線（ＷＲＬ）と前記第１映像信号線（ＤＬ１）との間に設けられたｎ×ｍ個のスイッチ素子（ＴＲ１１、ＴＲ１２、ＴＲ１３）と、前記ｎ×ｍ個のスイッチ素子のオン・オフを制御するｎ本のゲート配線（ＷＬ１１、ＷＬ１２、ＷＬ１３）とを有し、
前記第２時分割スイッチ回路（ＳＷ２）は、前記配線（ＷＲＬ）と前記第２映像信号線（ＤＬ２）との間に設けられたｎ×ｍ個のスイッチ素子（ＴＲ２１、ＴＲ２２、ＴＲ２３）と、前記ｎ×ｍ個のスイッチ素子のオン・オフを制御するｎ本のゲート配線（ＷＬ２１、ＷＬ２２、ＷＬ２３）とを有することが望ましい。
【００４１】
また、本発明では、例えば、前記スイッチ素子（ＴＲ１１）は、隣のグループの対応するスイッチ素子（ＴＲ１１）と、共通のゲート配線（ＷＬ１１）によって接続されて制御されることが望ましい。
【００４２】
また、本発明では、例えば、前記第１時分割スイッチ回路（ＳＷ１）の前記ｎ本のゲート配線（ＷＬ１１、ＷＬ１２、ＷＬ１３）と前記第２時分割スイッチ回路（ＳＷ２）の前記ｎ本のゲート配線（ＷＬ２１、ＷＬ２２、ＷＬ２３）は、対応するもの同士が前記配線基板（ＦＰＣ２）に設けられたｎ本の配線（ＷＲ１、ＷＲ２、ＷＲ３）を介してそれぞれ接続されていることが望ましい。
【００４３】
また、本発明では、例えば、前記第１表示装置（ＰＮＬ１）は、前記第１映像信号線（ＤＬ１）に交差し走査信号が供給される第１走査信号線（図示せず）と、前記第１走査信号線と前記第１映像信号線のそれぞれの交点に対応して形成され前記走査信号によって駆動される薄膜トランジスタ（図示せず）と、前記薄膜トランジスタを介して前記第１映像信号線からの映像信号が供給される電極（図示せず）とを有し、
前記第２表示装置（ＰＮＬ２）は、前記第２映像信号線（ＤＬ２）に交差し走査信号が供給される第２走査信号線（図示せず）と、前記第２走査信号線と前記第２映像信号線のそれぞれの交点に対応して形成され前記走査信号によって駆動される薄膜トランジスタ（図示せず）と、前記薄膜トランジスタを介して前記第２映像信号線からの映像信号が供給される電極（図示せず）とを有することが望ましい。
【００４４】
図４（ａ）は、本発明による表示装置の他の実施例を示す図で、図２に対応した図となっている。
図４（ａ）では、液晶表示装置ＰＮＬ１に表示される画像と液晶表示装置ＰＮＬ２に表示される画像がたとえば同じものとなっており、液晶表示装置ＰＮＬ２に表示される画像は、液晶表示装置ＰＮＬ１に表示される画像に対し、いわゆる間引きされた画像が表示されている。
【００４５】
液晶表示装置ＰＮＬ１の液晶表示部ＡＲ１に並設されるドレイン信号線ＤＬ１において、互いに隣接する３本を一グループとし、たとえば一グループ置きに各グループのドレイン信号線ＤＬ１が接続用フレキシブル基板ＦＰＣ２を介して液晶表示装置ＰＮＬ２のドレイン信号線ＤＬ２に接続されている。すなわち、間引きされて配線されている。
ここで、各グループの３本のドレイン信号線ＤＬはそれぞれカラー表示用の赤色（Ｒ），緑色（Ｇ）、青色（Ｂ）をそれぞれ担当するようになっている。
【００４６】
液晶表示装置ＰＮＬ１の各ドレイン信号線ＤＬ１に供給する映像信号において、説明を簡略化するため、図４（ｂ）に示すように、４×４のドットについて述べる。１ドットは、Ｒ、Ｇ、Ｂの３つの色別画素の集合で構成される。ドレインドライバＤＤから、最初（１、２、３、４）の情報（信号）がそれぞれ１２本（４本×３色）のドレイン信号線ＤＬ１に送出された後、順次（５、６、７、８）、（９、１０、１１、１２）、（１３、１４、１５、１６）の各情報が送出されことになる。ここで、１、２、３、……の各情報は赤色（Ｒ），緑色（Ｇ）、青色（Ｂ）を含むカラー表示用の一単位情報（カラー表示用の１ドット分の情報）である。
【００４７】
最初の情報（１、２、３、４）のうち２および４が、それを供給するドレイン信号線ＤＬ１が液晶表示装置ＰＮＬ２に導かれないことによって、間引きされ、残りの１および３が液晶表示装置ＰＮＬ２に供給され、次の情報（５、６、７、８）は液晶表示装置ＰＮＬ２の対応する走査信号線に走査信号が供給されていないことによって全て間引きされることになる。また、次の情報、さらに次の情報においても同様の動作をし、（９、１０、１１、１２）のうち１０および１２が間引きされ、残りの９および１１が液晶表示装置ＰＮＬ２に供給され、次の情報（１３、１４、１５、１６）は全て間引きされることになる。
【００４８】
本発明による表示装置では、例えば、第１表示装置（ＰＮＬ１）と、第２表示装置（ＰＮＬ２）と、前記第１表示装置と前記第２表示装置との間を接続する配線基板（ＦＰＣ２）とを備えた表示装置であって、
前記第１表示装置および前記第２表示装置はそれぞれマトリクス状に配置された複数の画素を有し、
前記第１表示装置（ＰＮＬ１）の画素に映像信号を供給する第１映像信号線（ＤＬ１）のうちの一部を間引いて前記第２表示装置（ＰＮＬ２）の画素に映像信号を供給する第２映像信号線（ＤＬ２）に接続したことにより、前記第１表示装置（ＰＮＬ１）の映像を前記第２表示装置（ＰＮＬ２）に縮小表示する。
【００４９】
図４（ａ）では、上述したように、液晶表示装置ＰＮＬ１におけるドレイン信号線ＤＬ１において、互いに隣接する３本を一グループとし、一グループ置きに各グループのドレイン信号線ＤＬ１を接続用フレキシブル基板ＦＰＣ２を介して液晶表示装置ＰＮＬ２へ導いた構成としたものである。
【００５０】
例えば、前記第１表示装置（ＰＮＬ１）の画素に映像信号を供給する第１映像信号線（ＤＬ１）のうち、隣り合う３本を１グループとしてグループ分けし、隣り合う２つのグループのうち１つのグループのみを前記第２表示装置（ＰＮＬ２）の画素に映像信号を供給する第２映像信号線（ＤＬ２）に接続している。
【００５１】
また、図４に示した実施例では、カラー表示用の液晶表示装置について説明したものであるが、これに限定されることなく、モノクロ表示用であってもよいことはいうまでもない。
【００５２】
例えば、前記第１表示装置（ＰＮＬ１）の画素に映像信号を供給する第１映像信号線（ＤＬ１）のうち、隣り合う２本のうち１本のみを前記第２表示装置（ＰＮＬ２）の画素に映像信号を供給する第２映像信号線（ＤＬ２）に接続すればよい。
この接続方法は、モノクロ表示の場合に限られず、例えばフィールドシーケンシャル駆動のように、１つの画素でカラー表示が可能な表示装置にも適用できる。
さらに、図１に示したように液晶表示装置ＰＮＬ１および液晶表示装置ＰＮＬ２の各側にスイッチ回路を設けるように構成してもよい。
【００５３】
例えば、それぞれ、ｎを２以上の整数、ｍを２以上の整数としたとき、
前記第１映像信号線（ＤＬ１）は、少なくとも一部がｎ本毎にｍ個のグループにグループ分けされ、
前記第２映像信号線（ＤＬ２）は、ｎ本毎にｍ個のグループにグループ分けされ、
前記配線基板（ＦＰＣ２）は、前記第２映像信号線（ＤＬ２）に印加される映像信号を伝えるｍ本の配線（ＷＲＬ）を有し、
前記第１表示装置（ＰＮＬ１）及び前記第２表示装置（ＰＮＬ２）は、同じグループ内に属するｎ本の前記第１映像信号線（ＤＬ１）に印加された前記第２映像信号線（ＤＬ２）に印加されるべきｎ個の映像信号のそれぞれを、前記配線基板（ＦＰＣ２）に設けられたそのグループに対応する１本の前記配線（ＷＲＬ）を介して、前記配線（ＷＲＬ）を時分割で共有しながら、そのグループに対応するｎ本の前記第２映像信号線（ＤＬ２）のうちその映像信号が印加されるべき第２映像信号線（ＤＬ２）に時分割で分配して伝える時分割スイッチ回路（ＳＷ１、ＳＷ２）を有するようにしても良い。
【００５４】
図５は、本発明による表示装置の他の実施例を示す構成図で、図４（ａ）に対応した図となっている。
図４（ａ）の場合と比較して異なる構成は、液晶表示装置ＰＮＬ２に表示される画像は、液晶表示装置ＰＮＬ１に表示される画像に対し、左右及び上下ともに反転されて表示されていることにある。
【００５５】
たとえば、本実施例に係る表示装置をいわゆるシェル型携帯電話に組み込んだ場合を考えると、図６（ａ）、（ｂ）に示すように、開閉する電話器の表裏面において一方の面には液晶表示装置ＰＮＬ１を、他方の面には液晶表示装置ＰＮＬ２を配置させた場合、これら液晶表示装置ＰＮＬ１と液晶表示装置ＰＮＬ２は接続用フレキシブル基板ＦＰＣ２の部分を屈曲させて背中合わせに配置させなければならなくなる。
【００５６】
したがって、電話器を開いた状態で観る液晶表示装置ＰＮＬ１の画像と閉じた状態で観る液晶表示装置ＰＮＬ２の画像は左右及び上下ともに反転させる必要が生じる。
また、電話器を閉じた状態と開いた状態とでは液晶表示装置ＰＮＬ２を見る方向が変わる場合があるため、液晶表示装置ＰＮＬ２の画像を反転させたいときがある。
【００５７】
このことから、この実施例では、上述した液晶表示装置ＰＮＬ２には、図７に示すように、左右反転回路ＲＶＣが設けられ、図示しない前記接続用フレキシブル基板ＦＰＣ２からの各信号は接続パッドＣＢを介し該左右反転回路ＲＶＣを通して対応するドレイン信号線ＤＬ２に供給されるようになっている。
【００５８】
なお、上下の反転は、液晶表示装置ＰＮＬ２の各走査信号線の信号供給の走査を逆にすることによって達成できる。すなわち、図５（ａ）において、液晶表示装置ＰＮＬ１の各ゲート信号線の信号供給を図中上側方向から下側方向へ順次走査するのに対し、液晶表示装置ＰＮＬ２の各ゲート信号線の信号供給を図中下側方向から上側方向へ順次走査することによって容易に達成できる。
【００５９】
図８は、前記左右反転回路ＲＶＣの具体的な回路の一実施例を示す図である。液晶表示装置ＰＮＬ２のそれぞれのドレイン信号線ＤＬ２とそれに対応する接続パッドＣＢとの間に、４個のＭＩＳ型（Metal  Insulator  Semiconductor）トランジスタＳＴが配置されている。
【００６０】
それぞれのドレイン信号線ＤＬ２とそれに対応する接続パッドＣＢとの間には、まず、トランジスタＳＴ１とトランジスタＳＴ２とが、該トランジスタＳＴ１を接続パッド側にして、直列接続されている。
【００６１】
それぞれのドレイン信号線ＤＬ２とそれに対応する接続パッドＣＢとの間の各トランジスタＳＴ１はそのゲートを互いに共通にし、その配線はたとえば図中最左側に配置される接続パッドＣＢＣ１に接続され、また、各トランジスタＳＴ２もそのゲートを互いに共通にし、同じく接続パッドＣＢＣ１に接続されている。
【００６２】
そして、トランジスタＳＴ１とトランジスタＳＴ２との間は、図中左から１番目のトランジスタＳＴ１は図中左から１番目のトランジスタＳＴ２に、図中左から２番目のトランジスタＳＴ１は図中左から２番目のトランジスタＳＴ２に、以下同様に、左右を反転させずに接続されている。
したがって、接続パッドＣＢＣ１に制御信号を印加した場合は、接続パッドＣＢに印加された映像信号は左右反転されずにドレイン信号線ＤＬ２に印加されることになる。
【００６３】
次に、左右反転させる場合について説明する。
それぞれのドレイン信号線ＤＬ２とそれに対応する接続パッドＣＢとの間には、まず、トランジスタＳＴ３とトランジスタＳＴ４とが、該トランジスタＳＴ３を接続パッド側にして、直列接続されている。
【００６４】
各トランジスタＳＴ３はそのゲートを互いに共通にし、その配線はたとえば図中最左側から２番目に配置される接続パッドＣＢＣ２に接続され、また、各トランジスタＳＴ４もそのゲートを互いに共通にし、同じく接続パッドＣＢＣ２に接続されている。
【００６５】
そして、トランジスタＳＴ３とトランジスタＳＴ４との間は、図中左から１番目のトランジスタＳＴ３は図中右から１番目のトランジスタＳＴ４に、図中左から２番目のトランジスタＳＴ３は図中右から２番目のトランジスタＳＴ４に、以下同様に、左右を反転させて接続されている。
したがって、接続パッドＣＢＣ２に制御信号を印加した場合は、接続パッドＣＢに印加された映像信号は左右反転されてドレイン信号線ＤＬ２に印加されることになる。
【００６６】
本実施例による表示装置は、例えば、第１表示装置（ＰＮＬ１）と、第２表示装置（ＰＮＬ２）と、前記第１表示装置と前記第２表示装置との間を接続する配線基板（ＦＰＣ２）とを備えた表示装置であって、
前記第１表示装置（ＰＮＬ１）は、マトリクス状に配置された複数の画素と、前記画素に映像信号を供給する第１映像信号線（ＤＬ１）を有し、
前記第２表示装置（ＰＮＬ２）は、マトリクス状に配置された複数の画素と、前記画素に映像信号を供給する第２映像信号線（ＤＬ２）を有し、
前記配線基板（ＦＰＣ２）は、前記第１映像信号線（ＤＬ１）を介して伝えられた前記第２映像信号線（ＤＬ２）に印加される映像信号を伝える配線（ＷＲＬ）を有し、
前記第２表示装置（ＰＮＬ２）は、前記配線基板（ＦＰＣ２）の配線（ＷＲＬ）を介して伝えられた映像信号を、左右反転させて前記第２映像信号線（ＤＬ２）に印加するか、左右反転させずに前記第２映像信号線（ＤＬ２）に印加するかを選択可能な左右反転回路（ＲＶＣ）を有する。
【００６７】
上述した各実施例はそれぞれ単独に、あるいは組み合わせて用いても良い。それぞれの実施例での効果を単独であるいは相乗して奏することができるからである。
また、上述した各実施例では、表示装置の一例として液晶表示装置を挙げたものである。しかし、有機ＥＬ表示装置であっても、同様に適用できることはいうまでもない。
【図面の簡単な説明】
【００６８】
【図１】本発明による表示装置の一実施例を示す要部構成図である。
【図２】本発明による表示装置の一実施例を示す全体平面図である。
【図３】本発明による表示装置の一実施例の変形例を示す説明図である。
【図４】本発明による表示装置の他の実施例を示す要部構成図である。
【図５】本発明による表示装置の他の実施例を示す説明図である。
【図６】本発明による表示装置の携帯電話器に用いる場合を示す説明図である。
【図７】本発明による表示装置の一実施例を示す要部平面図である。
【図８】図７に示す左右反転回路の一実施例を示す回路図である。
【符号の説明】
【００６９】
ＰＮＬ……液晶表示装置、ＤＬ……ドレイン信号線、ＡＲ……液晶表示部、ＦＰＣ２……接続用フレキシブル基板（配線基板）、ＤＤ……ドレインドライバ、ＧＤ……ゲートドライバ、ＲＶＣ……左右反転回路、ＣＢ……接続パッド。
【図１】
2005283949.tif 000003
【図２】
2005283949.tif 000004
【図３】
2005283949.tif 000005
【図４】
2005283949.tif 000006
【図５】
2005283949.tif 000007
【図６】
2005283949.tif 000008
【図７】
2005283949.tif 000009
【図８】
2005283949.tif 000010